(57)【要約】【課題】  フレキシブル基板と端子の接続の検査を容易にする。【解決手段】  端子部に複数本の配線が第１配線として設けられた表示パネルと、複数本の配線が第２配線として設けられたフィルム状基板を備える表示装置であって、前記表示パネルは、前記端子部に隣接して前記端子より幅広でかつ一部が除去された判定端子を有し、前記フィルム状基板に、前記第２の配線に隣接して形成された第３の配線と第４の配線を有し、前記第３の配線が前記判定端子と対向し、前記第４の配線が前記判定端子の前記除去部に対向する。【選択図】        図４
2006350064.tif 000002
【特許請求の範囲】
【請求項１】
端子部に複数本の配線が第１配線として設けられた表示パネルと、
複数本の配線が第２配線として設けられたフィルム状基板を備える表示装置であって、
前記表示パネルは、前記端子部に隣接して前記端子より幅広でかつ一部が除去された判定端子を有し、
前記フィルム状基板に、前記第２の配線に隣接して形成された第３の配線と第４の配線を有し、
前記第３の配線が前記判定端子と対向し、
前記第４の配線が前記判定端子の前記除去部に対向することを特徴とする表示装置。
【請求項２】
前記第４の配線が前記判定端子の除去部を超えてずれた場合に、前記第３の配線と前記第４の配線が同電位になることにより位置ずれが検出できる構成となっていることを特徴とする請求項１に記載の表示装置。
【請求項３】
前記判定端子の除去形状は、前記複数本の第１の配線が並設された方向のずれ、および該方向と直交する方向のずれの双方が判定できることを特徴とする請求項１または請求項２に記載の表示装置。
【請求項４】
前記第３の配線と前記第４の配線は、プリント回路板に設けられた配線と電気的に接続していることを特徴とする請求項１乃至請求項３のいずれか１項に記載の表示装置。
【発明の詳細な説明】
【技術分野】
【０００１】
本発明は、表示装置および位置ずれ検査方法に関し、特に、液晶表示パネルおよび駆動用のドライバＩＣを備える表示装置に適用して有効な技術に関するものである。
【背景技術】
【０００２】
従来、表示装置には、液晶表示パネルを備える表示装置（以下、液晶表示装置という）がある。
【０００３】
前記液晶表示パネルは、たとえば、ガラス基板などの透明基板上に画像表示用の配線を設けた２枚の基板の間に液晶材料を封入した表示パネルである。このとき、前記２枚の基板のうちの一方の基板には、たとえば、前記液晶材料に電圧を印加するTFTなどの素子がアレイ状に設けられており、他方の基板には、カラーフィルタなどが設けられている。
【０００４】
前記液晶表示装置を組み立てるときには、たとえば、前記液晶表示パネルの周囲にプリント回路板を配置する。そして前記プリント回路板の配線や前記表示パネルの配線をテープキャリアパッケージ（TCP）やチップオンフィルム（COF）等のフレキシブル基板に形成された配線と接続することで、駆動用のドライバICと電気的に接続する。
【０００５】
前記フレキシブル基板の配線と前記プリント回路板の配線の接続方法、およびフレキシブル基板の配線と前記液晶表示パネルの配線の接続方法には、異方性導電膜（ACF）を用いて接続する方法が知られている。
【０００６】
前記液晶表示パネルは、近年、大型化や高精細化が進んでいる。そのため、液晶表示パネルの端子ピッチが縮小し、液晶表示パネルの配線と前記フレキシブル基板配線を電気的に接続するときには、高い位置合わせ精度が要求されるようになってきている。
【０００７】
このため、位置ずれによる接続不良（オープン不良）や短絡不良（ショート不良）が生じやすくなってきている。
【０００８】
そこで、位置ずれの全数検査が必要となっており、その検査の容易化が要求されるようになっている。  
【０００９】
このような位置ずれの検査に関しては、前記液晶表示パネル側に検査用端子を設け、前記ドライバIC側に検査用導線を設けておき、配線を接続した後、前記検査用端子と前記検査用導線の間の導通を検査し、位置ずれによる接続不良が生じているか否かを判定する方法が提案されている（たとえば、特許文献１を参照。）。
【特許文献１】特開平９−５３８１号公報
【発明の開示】
【発明が解決しようとする課題】
【００１０】
前記特許文献１などに記載された従来の検査方法は、前記配線の接続端子部を配置した方向、言い換えると配線幅方向の位置ずれによる接続不良のみを検知する検査方法である。
【００１１】
しかしながら、前記液晶表示パネルの配線と前記ドライバICの配線を接続するときには、前記配線幅方向だけでなく、様々な方向への位置ずれが生じる。前記配線を接続するときに、たとえば、前記配線幅と垂直な方向への位置ずれが生じた場合、たとえば、接続面積の増加あるいは減少による導通不良を生じる可能性があるが、前記従来の検査方法では、このような不良が生じているか否かを判定することができないという問題があった。
【００１２】
また、前記液晶表示パネルの配線は、通常、接続用の端子領域の先が隣接する配線側に折れ曲がっている。そのため、前記配線幅と垂直な方向への位置ずれが生じた場合、ずれの量が大きいと、前記ドライバICの前記配線幅と垂直な方向の延長線上で、前記ドライバICの配線が、前記液晶表示パネルのあらかじめ定められた配線と隣接する配線と導通し、短絡する可能性もある。しかしながら、前記従来の検査方法では、このような不良が生じているか否かを判定することもできない。
【００１３】
そのため、たとえば、前記特許文献１に記載されたような検査方法で、位置ずれによる接続不良が生じているか否かを判定する方法を適用した場合でも、前記液晶表示パネルの動作検査をするときに、前記接続不良や短絡不良が生じている液晶表示パネルの動作検査を行うこともあり、必ずしも前記液晶表示パネルの動作検査の作業性をよくなるとは限らないという問題があった。
【００１４】
また、前記プリント回路板の配線と前記フレキシブル基板の配線を接続するときも、前記液晶表示パネルの配線と前記フレキシブル基板の配線を接続するとき程ではないが、高い位置精度が要求される。そして、接続時に位置ずれが生じることがある。
【００１５】
本発明の目的は、液晶表示パネルの配線とフレキシブル基板の配線を接続したときの位置ずれによる接続不良や短絡不良の判定を容易にすることが可能な技術を提供することにある。
【００１６】
本発明の他の目的は、プリント回路板の配線とフレキシブル基板の配線を接続したときの位置ずれによる接続不良や短絡不良の判定を容易にすることが可能な技術を提供することにある。
【００１７】
本発明の他の目的は、液晶表示パネルの動作検査の作業性を向上させることが可能な技術を提供することにある。
【００１８】
本発明の前記ならびにその他の目的と新規な特徴は、本明細書の記述および添付図面によって明らかになるであろう。
【課題を解決するための手段】
【００１９】
本願において開示される発明の概略を説明すれば、以下の通りである。
【００２０】
（１）基板の表面に画像表示用の複数本の配線（以下、第１配線という）が設けられた表示パネルと、フィルム状の絶縁基板の表面に複数本の配線（以下、第２配線という）が設けられたフィルム状基板と、前記第２配線を介して前記第１配線と電気的に接続される配線が設けられたプリント回路板とを備える表示装置であって、前記表示パネルは、前記第１配線と前記第２配線を電気的に接続するときの位置ずれを判定する導電性の判定端子が設けられ、前記フィルム状基板は、前記判定端子と電気的に接続された判定電位供給配線と、前記判定電位供給配線と隣接しており、かつ、前記各第１配線および前記判定端子と電気的に絶縁された位置ずれ検知配線とが設けられており、前記表示パネルの判定端子は、前記位置ずれ検知配線と前記判定電位供給配線の配置方向の位置ずれ、および前記配置方向と直交する方向の位置ずれを判定する判定部を有する表示装置である。
【００２１】
（２）前記手段（１）において、前記フィルム状基板の前記位置ずれ検知配線は、前記表示パネルと平面的に重なる領域内に、部分的に配線幅が広くなっている領域があり、前記表示パネルの判定端子の前記判定部は、前記位置ずれ検知配線の前記配線幅が広くなっている領域を平面的に囲む不連続な環状形状である表示装置である。
【００２２】
（３）前記手段（１）または手段（２）において、前記表示パネルの判定端子は、前記各第１配線とは電気的に独立している表示装置である。
【００２３】
（４）前記手段（１）または手段（２）において、前記表示パネルの判定端子は、前記各第１配線のいずれかの端部に設けられている表示装置である。
【００２４】
（５）前記手段（１）から手段（４）のいずれかにおいて、前記フィルム状基板の前記判定電位供給配線および前記位置ずれ検知配線は、前記プリント回路板に設けられた配線と電気的に接続されている表示装置である。
【００２５】
（６）前記手段（５）において、前記フィルム状基板を複数個備え、前記プリント回路板に設けられた配線のうち、前記各フィルム状基板の前記判定電位供給配線または前記位置ずれ検知配線と電気的に接続される配線は、共通配線である表示装置。
【００２６】
（７）前記手段（１）から手段（６）のいずれかにおいて、前記フィルム状基板には、半導体チップが実装されている表示装置である。
【００２７】
（８）基板の表面に画像表示用の複数本の配線（以下、第１配線という）が設けられた表示パネルと、フィルム状の絶縁基板の表面に複数本の配線（以下、第２配線という）が設けられたフィルム状基板と、前記第２配線を介して前記第１配線と電気的に接続される配線（以下、第３配線という）が設けられたプリント回路板とを備える表示装置であって、前記フィルム状基板は、前記第３配線と前記第２配線を電気的に接続するときの位置ずれを判定する導電性の判定端子が設けられ、前記プリント回路板は、前記判定端子と電気的に接続された判定電位供給配線と、前記第３配線および前記判定電位供給配線とは電気的に絶縁された位置ずれ検知端子とが設けられており、前記フィルム状基板の判定端子は、前記位置ずれ検知端子と前記判定電位供給配線の配置方向の位置ずれ、および前記配置方向と直交する方向の位置ずれを判定する判定部を有する表示装置である。
【００２８】
（９）前記手段（８）において、前記フィルム状基板の判定端子の前記判定部は、前記位置ずれ検知端子を平面的に囲む環状形状であり、前記プリント回路板は、絶縁基板の表面および内部に２層以上の配線層を有し、前記位置ずれ検知端子は、前記絶縁基板の内部に設けられた配線層を介して、前記判定部の外部領域に設けられた配線と電気的に接続されている表示装置である。
【００２９】
（１０）前記手段（８）または手段（９）において、前記プリント回路板の判定電位供給配線は、前記各第３配線とは電気的に独立している表示装置である。
【００３０】
（１１）前記手段（８）または手段（９）において、前記プリント回路板の判定電位供給配線は、前記各第３配線のいずれかと共用している表示装置である。
【００３１】
（１２）前記手段（８）から手段（１１）のいずれかにおいて、前記フィルム状基板を複数個備え、前記プリント回路板に設けられた配線のうち、前記各フィルム状基板の前記判定電位供給配線または前記位置ずれ検知端子と電気的に接続される配線は、共通配線である表示装置である。
【００３２】
（１３）前記手段（８）から手段（１２）のいずれかにおいて、前記第２配線の前記第３配線との接続部、または前記フィルム状基板の判定端子の、前記プリント回路板の判定電位供給配線との接続部に、階段状の切り欠きが設けられている表示装置である。
【００３３】
（１４）前記手段（１３）において、前記階段状の切り欠きは、前記第２配線または前記判定端子の対向する２辺に設けられている表示装置である。
【００３４】
（１５）前記手段（８）から手段（１４）のいずれかにおいて、前記表示パネルは、前記第１配線と前記第２配線を電気的に接続するときの位置ずれを判定する導電性の判定端子が設けられ、前記フィルム状基板は、前記表示パネルの判定端子と電気的に接続された判定電位供給配線と、前記判定電位供給配線と隣接しており、かつ、前記各第１配線および前記判定端子と電気的に絶縁された位置ずれ検知配線とが設けられており、前記表示パネルの判定端子は、前記フィルム状基板の位置ずれ検知配線および前記判定電位供給配線の配置方向の位置ずれ、および前記配置方向と直交する方向の位置ずれを判定する判定部を有する表示装置である。
【００３５】
（１６）前記手段（１５）において、前記フィルム状基板の位置ずれ検知配線は、前記表示パネルと平面的に重なる領域内に、部分的に配線幅が広くなっている領域があり、前記表示パネルの判定端子の前記判定部は、前記フィルム状基板の位置ずれ検知配線の前記配線幅が広くなっている領域を平面的に囲む不連続な環状形状である表示装置である。
【００３６】
（１７）前記手段（１５）または手段（１６）において、前記表示パネルの判定端子は、前記各第１配線とは電気的に独立している表示装置である。
【００３７】
（１８）前記手段（１５）または手段（１６）において、前記表示パネルの判定端子は、前記各第１配線のいずれかの端部に設けられている表示装置である。
【００３８】
（１９）前記手段（１５）から手段（１８）のいずれかにおいて、前記フィルム状基板の判定端子は、前記フィルム基板の判定電位供給配線の端部に設けられている表示装置である。
【００３９】
（２０）前記手段（１５）から手段（１９）のいずれかにおいて、前記プリント回路板は、前記絶縁基板の表面に前記プリント回路板の位置ずれ検知端子と電気的に接続され、かつ、前記フィルム基板の判定端子の前記判定部の外部領域に設けられた導体端子が設けられており、前記フィルム基板の位置ずれ検知配線は、前記プリント回路板の前記導体端子と電気的に接続されている表示装置である。
【００４０】
（２１）前記手段（６）から手段（１７）のいずれかにおいて、前記フィルム状基板には、半導体チップが実装されている表示装置である。
【００４１】
（２２）前記手段（１）から手段（２１）のいずれかにおいて、前記表示パネルは、液晶表示パネルである表示装置である。
【００４２】
（２３）表示パネルに設けられた複数本の配線（以下、第１配線という）と、フィルム状基板の表面に設けられた複数本の配線（以下、第２配線という）とを電気的に接続したときの、前記第１配線と前記第２配線の位置ずれを検査する位置ずれ検査方法であって、前記フィルム状基板に、判定電位供給配線と、位置ずれ検知配線の２つの電気的に独立した配線を設け、前記表示パネルに、前記判定電位供給配線と電気的に接続し、前記位置ずれ検知配線と前記判定電位供給配線の配置方向の位置ずれ、および前記配置方向と直交する方向の位置ずれを判定する判定部を有する導電性の判定端子を設けておき、第１配線と前記第２配線を電気的に接続した後、前記フィルム状基板の判定電位供給配線と前記位置ずれ検知配線の間の導通検査を行う位置ずれ検査方法である。
【００４３】
（２４）プリント回路板に設けられた複数本の配線（以下、第３配線という）と、フィルム状基板の表面に設けられた複数本の配線（以下、第２配線という）とを電気的に接続したときの、前記第３配線と前記第２配線の位置ずれを検査する位置ずれ検査方法であって、前記プリント回路板に、判定電位供給配線と、位置ずれ検知端子の２つの電気的に独立した配線端子を設け、前記フィルム状基板の表面に、前記位置ずれ検知端子と前記判定電位供給配線の配置方向の位置ずれ、および前記配置方向と直交する方向の位置ずれを判定する判定部を有する導電性の判定配線または判定端子を設けておき、前記第３配線と前記第２配線を電気的に接続した後、前記フィルム状基板の判定電位供給配線と前記位置ずれ検知配線の間の導通検査を行う位置ずれ検査方法である。
【００４４】
また、前記手段（１）から手段（２４）のなかで、特に重要な部分を抽出して簡潔にまとめると、以下の通りである。
【００４５】
（２５）端子部に複数本の配線が第１配線として設けられた表示パネルと、複数本の配線が第２配線として設けられたフィルム状基板を備える表示装置であって、前記表示パネルは、前記端子部に隣接して前記端子より幅広でかつ一部が除去された判定端子を有し、前記フィルム状基板に、前記第２の配線に隣接して形成された第３の配線と第４の配線を有し、前記第３の配線が前記判定端子と対向し、前記第４の配線が前記判定端子の前記除去部に対向する表示装置である。
【００４６】
（２６）前記手段（２５）において、前記第４の配線が前記判定端子の除去部を超えてずれた場合に、前記第３の配線と前記第４の配線が同電位になることにより位置ずれが検出できる構成となっている表示装置である。
【００４７】
（２７）前記手段（２５）または手段（２６）において、前記判定端子の除去形状は、前記複数本の第１の配線が並設された方向のずれ、および該方向と直交する方向のずれの双方が判定できる表示装置である。
【００４８】
（２８）前記手段（２５）から手段（２７）のいずれかにおいて、前記第３の配線と前記第４の配線は、プリント回路板に設けられた配線と電気的に接続している表示装置である。
【発明の効果】
【００４９】
本発明の表示装置は、前記手段（１）のように、前記表示パネルに判定端子が設けられ、前記フィルム状基板には判定電位供給配線と位置ずれ検知配線が設けられており、前記判定端子と前記判定電位供給配線が電気的に接続されている。このような構成であれば、前記表示装置を組み立てる工程において、前記表示パネルの第１配線と前記フィルム状基板の第２配線を電気的に接続した後、前記判定電位供給配線と前記位置ずれ検知配線の間の導通を検査することで、前記第１配線と前記第２配線の位置ずれを容易に判定することができる。そのため、前記第１配線と第２配線を電気的に接続した直後に、前記第１配線と第２配線の接続不良や短絡不良の検査をすることができ、前記各不良が発生している場合は、不良品として取り除いて修正できる。
【００５０】
また、前記表示パネルの判定端子が、前記手段（１）のように、前記フィルム状基板の位置ずれ検知配線と判定電位供給配線の配置方向の位置ずれ、および前記配置方向と直交する方向の位置ずれを判定する判定部を有する形状であれば、たとえば、前記特許文献１に記載されたような前記フィルム状基板の位置ずれ検知配線と判定電位供給配線の配置方向の位置ずれのみの検査に比べて、前記第１配線と第２配線の接続不良や短絡不良の検査精度が向上する。その結果、前記表示パネルの動作検査を行うときには、前記各不良が発生していないものだけを検査でき、前記表示パネルの動作検査の作業性を向上させることができる。
【００５１】
またこのとき、前記手段（２）のように、前記フィルム状基板の前記位置ずれ検知配線に配線幅が広くなっている領域を設け、前記表示パネルの判定端子の前記判定部を前記位置ずれ検知配線の前記配線幅が広くなっている領域を平面的に囲む不連続な環状形状にすることが好ましい。このようにすると、たとえば、前記フィルム状基板の位置ずれ検知配線と判定電位供給配線の配置方向と直交する方向、言い換えると前記各配線の延在方向の位置ずれに対して、前記位置ずれ検知配線の延長線方向と、その反対方向の位置ずれを判定することができる。また、不連続な環状形状にすることで、前記フィルム状基板の位置ずれ検知配線と判定電位供給配線の配置方向の位置ずれ、および前記配置方向と直交する方向の位置ずれだけでなく、前記各方向への位置ずれが同時に発生している場合でも位置ずれを検知できる。そのため、前記第１配線と第２配線の接続不良や短絡不良の検査精度がさらに向上し、前記表示パネルの動作検査の作業性をより向上させることができる。
【００５２】
またこのとき、前記表示パネルの判定端子は、前記手段（３）のように前記各第１配線とは電気的に独立した端子であってもよいし、前記手段（４）のように前記各第１配線のいずれかの端部に設けられていてもよい。
【００５３】
また、前記フィルム状基板の判定電位供給配線および位置ずれ検知配線は、前記手段（５）のように前記プリント回路板に設けられた配線と電気的に接続されていることが好ましい。前記フィルム状基板に設けられた判定電位供給配線および位置ずれ検知配線は、配線幅が非常に細い。また、前記フィルム状基板には前記第２配線が密に配置されている。そのため、前記フィルム状基板に導通検査用のプローブを接触させるパッドを設けることが難しい。一方、前記プリント回路板も、配線が密に形成されている領域はあるが、前記フィルム状基板に比べて、導通検査用のプローブを接触させる検査パッドを設けやすい。
【００５４】
また、前記表示装置は、通常、前記フィルム状基板を複数個備えているので、前記手段（５）のようにする場合、前記手段（６）のように前記各フィルム状基板の前記判定電位供給配線または前記位置ずれ検知配線と電気的に接続される配線は共通配線とすることが好ましい。前記手段（６）のようにする場合、たとえば、前記各フィルム状基板の位置ずれ検知配線と接続された配線を共通配線とし、前記各フィルム状基板の判定電位供給配線と接続された配線に、順番に判定電位を供給することで、前記フィルム状基板毎に位置ずれの判定を行うことができる。また、前記手段（６）のように一方の配線を共通配線とすることで、前記プリント回路板に設ける前記検査パッドの数を減らすことができるとともに、配線の引き回しが容易になる。
【００５５】
また、前記表示装置において、前記フィルム状基板は、前記表示パネル上に設けられた表示制御素子を駆動させるドライバICの一部品であり、通常、前記手段（７）のように前記フィルム状基板には駆動制御回路を有する半導体チップが実装されている。
【００５６】
なお、前記表示装置を組み立てるときには、前記表示パネルの第１配線と前記フィルム状基板の第２配線を電気的に接続する工程だけでなく、前記フィルム状基板の第２配線と前記プリント回路板の第３配線を電気的に接続する工程がある。そのため、前記フィルム状基板の第２配線と前記プリント回路板の第３配線を電気的に接続したときにも、前記第１配線と前記第２配線を電気的に接続したときと同様の位置ずれの検査（判定）を行えることが好ましい。このとき、前記表示装置は、たとえば、前記手段（８）のように、前記フィルム状基板に判定端子が設けられ、前記プリント回路板には判定電位供給配線と位置ずれ検知配線が設けられており、前記判定端子と前記判定電位供給配線が電気的に接続されていることが好ましい。このような構成であれば、前記表示装置を組み立てる工程において、前記プリント回路板の第３配線と前記フィルム状基板の第２配線を電気的に接続した後、前記プリント回路板の判定電位供給配線と位置ずれ検知配線の間の導通を検査することで、前記第３配線と前記第２配線の位置ずれを容易に判定することができる。そのため、前記第３配線と第２配線を電気的に接続した直後に、前記第３配線と第２配線の接続不良や短絡不良の検査をすることができ、前記各不良が発生している場合は、不良品として取り除いて修正できる。
【００５７】
またこのとき、前記手段（９）のように、前記フィルム状基板の判定端子の前記判定部が、前記位置ずれ検知端子を平面的に囲む環状形状にすることが好ましい。前記プリント回路板は、通常、絶縁基板の表面および内部に２層以上の配線層を有する。そのため、前記位置ずれ検知端子を、前記絶縁基板の内部に設けられた配線層を介して、前記判定部の外部領域に設けられた配線と電気的に接続させれば、前記フィルム状基板の判定端子を閉じた環状にすることができる。このようにすることで、あらゆる方向への位置ずれを検知でき、前記第３配線と第２配線の接続不良や短絡不良の検査精度が向上する。その結果、前記表示パネルの動作検査を行うときには、前記各不良が発生していないものだけを検査でき、前記表示パネルの動作検査の作業性を向上させることができる。
【００５８】
またこのとき、前記プリント回路板の判定電位供給配線は、前記手段（１０）のように前記各第３配線とは電気的に独立した配線であってもよいし、前記手段（１１）のように前記各第３配線のいずれかと共用していてもよい。
【００５９】
また、前記表示装置は、前述のように、通常、前記フィルム状基板を複数個備えている。そのため、たとえば、前記手段（８）のようにする場合、前記手段（１２）のように前記プリント回路板の前記判定電位供給配線または前記位置ずれ検知端子は共通配線とすることが好ましい。前記手段（１２）のようにする場合、たとえば、前記位置ずれ検知端子を共通配線とし、前記各フィルム状基板の判定端子と接続された判定電位供給配線に、順番に判定電位を供給することで、前記フィルム状基板毎に位置ずれの判定を行うことができる。また、前記手段（１２）のように一方の配線を共通配線とすることで、前記プリント回路板に設ける前記検査パッドの数を減らすことができるとともに、配線の引き回しが容易になる。
【００６０】
また、前記フィルム状基板の第２配線または判定端子には、たとえば、前記手段（１３）および手段（１４）のように、階段状の切り欠きを設けてもよい。このようにすると、たとえば、前記階段状の切り欠き部分で見られる前記第３配線の端部の位置によって、前記第３配線と第２配線の位置ずれの有無、ずれている方向などを簡易的に検査することができる。そのため、たとえば、前記プリント回路板に前記位置ずれ検知端子が設けられていない場合でも、前記位置ずれによる接続不良や短絡不良が発生しているか否かを簡易的に検査、判定することができる。  
【００６１】
また、前記表示装置を組み立てるときには、たとえば、前記プリント回路板の第３配線と前記フィルム状基板の第２配線を電気的に接続した後、前記フィルム状基板の第２配線と前記表示パネルの第１配線とを電気的に接続するのが一般的である。そのため、前記手段（８）のような構成の表示装置においては、たとえば、前記手段（１５）のように、前記第１配線と前記第２配線を電気的に接続したときの位置ずれによる前記第１配線と前記第２配線の接続不良や短絡不良が発生しているか否かを検査、判定することができるような構成にしておくことが好ましい。前記手段（１５）は、前記手段（１）と同等の構成であるため、前記第１破線と前記第２配線を電気的に接続した直後に、位置ずれによる前記第１配線と前記第２配線の接続不良や短絡不良が発生しているか否かを容易に検査、判定することができる。また、前記手段（１５）は、前記手段（８）を前提とした構成であるため、前記表示パネルの動作検査を行うときには、前記第３配線と第２配線、および前記第１配線と第２配線が正常に接続されたものだけを検査でき、前記動作検査の作業効率が向上する。
【００６２】
また、前記手段（１６）は、前記手段（２）と同等の構成である。そのため、前記手段（１５）を前提として前記手段（１６）の構成を適用することで、前記手段（１）を前提として前記手段（２）を適用した場合と同様の効果が得られる。またこのとき、前記表示パネルの判定端子は、前記手段（１７）のように前記各第１配線とは電気的に独立した端子であってもよいし、前記手段（１８）のように前記各第１配線のいずれかの端部に設けられていてもよい。
【００６３】
また、たとえば、前記手段（１５）のように、前記プリント回路板の第３配線と前記フィルム状基板の第２配線の位置ずれの検査に加えて、前記フィルム状基板の第２配線と前記表示パネルの第１配線の位置ずれも検査できる構成にした場合、前記手段（１９）のように、前記フィルム状基板の判定端子は、前記フィルム基板の判定電位供給配線の端部に設けられていることが好ましい。このようにすると、前記プリント回路板の第３配線と前記フィルム状基板の第２配線の位置ずれの検査で用いる前記プリント回路板の判定電位供給配線を、前記フィルム状基板の第２配線と前記表示パネルの第１配線の位置ずれの検査にも利用することができる。
【００６４】
またこのとき、前記手段（２０）のように前記プリント回路板の位置ずれ検知端子と電気的に接続された導体端子に前記フィルム基板の位置ずれ検知配線を接続するとより好ましい。このようにすると、前記プリント回路板の第３配線と前記フィルム状基板の第２配線の位置ずれの検査で用いる前記プリント回路板の位置ずれ検知配線を、前記フィルム状基板の第２配線と前記表示パネルの第１配線の位置ずれの検査にも利用することができる。
【００６５】
また、前記表示装置において、前記フィルム状基板は、前記表示パネル上に設けられた表示制御素子を駆動させるドライバICの一部品であり、通常、前記手段（２１）のように前記フィルム状基板には駆動制御回路を有する半導体チップが実装されている。
【００６６】
また、前記表示装置における表示パネルは、たとえば、前記手段（２２）のように液晶表示パネルであるとする。なお、前記表示パネルは、前記液晶表示パネルに限らず、前記第１配線と前記フィルム状基板の第２配線が電気的に接続されている種々の表示装置で用いられているものであればどのような表示パネルであってもよい。
【００６７】
また、前記手段（１）から手段（７）、前記手段（１５）から手段（２２）のような構成の表示装置を組み立てるときの、前記表示パネルの第１配線と前記フィルム状基板の第２配線の位置ずれは、たとえば、前記手段（２３）のような検査方法で検査すればよい。
【００６８】
また、前記手段（８）から手段（２２）のような構成の表示装置を組み立てるときの、前記プリント回路板の第３配線と前記フィルム状基板の第２配線の位置ずれは、たとえば、前記手段（２４）のような検査方法で検査すればよい。
【００６９】
なお、前記手段（１）から手段（２４）は、本発明の具体的な構成例であり、これらの構成例のなかで、本発明において重要となる構成を抽出し、簡潔にまとめると、前記手段（２５）から手段（２８）のように表すことができる。なお、前記手段（２５）から手段（２８）において、前記第３の配線および第４の配線はそれぞれ、前記手段（１）から手段（２４）における、前記フィルム状基板の判定電位供給配線および位置ずれ検知配線に相当する。
【００７０】
以下、本発明について、図面を参照して実施の形態（実施例）とともに詳細に説明する。
なお、実施例を説明するための全図において、同一機能を有するものは、同一符号を付け、その繰り返しの説明は省略する。
【発明を実施するための最良の形態】
【００７１】
本発明の表示装置では、表示パネルに、少なくとも、前記表示パネルに設けられた第１配線の配置方向と前記配置方向と直交する方向の２方向の位置ずれを判定する判定端子を設ける。このようにすることで、前記表示パネルの第１配線と、駆動用ドライバICなどのフィルム状基板に設けられた第２配線を電気的に接続したときの位置ずれによる接続不良や短絡不良の検査、判定を容易にするとともに、検査精度を向上させる。
【００７２】
また、前記第１配線と前記第２配線の接続不良や短絡不良の検査、判定と同様の方法で、前記フィルム状基板の第２配線とプリント回路板に設けられた第３配線を接続したときの位置ずれによる接続不良や短絡不良の検査、判定を容易にするとともに、検査精度を向上させる。
【００７３】
また、前記第１配線と第２配線、および前記第２配線と第３配線の接続不良や短絡不良の検査、判定を、前記第１配線と第２配線を接続した直後、および前記第２配線と第３配線を接続した直後に行えるようにすることで、前記表示パネルの動作検査の作業性を向上させる。
【実施例１】
【００７４】
図１乃至図６は、本発明による実施例１の表示装置の概略構成を示す模式図であり、図１は液晶表示パネルおよびフィルム状基板、ならびにプリント回路板が接続された状態を示す平面図、図２は図１のＡ−Ａ’線断面図、図３は液晶表示パネルおよびフィルム状基板、ならびにプリント回路板の接続方法を説明する分解図、図４は液晶表示パネルとフィルム状基板の接続部の拡大平面図、図５は図４のＢ−Ｂ’線断面図、図６は図４のＣ−Ｃ’線断面図である。
図１乃至図６において、１は液晶表示パネル、１０１は第１の基板、１０１Ａは第１配線、１０１Ｂは判定端子、１０２は第２の基板、１０３はシール材、１０４は液晶材料、２はフィルム状基板、２０１は絶縁基板、２０２Ａは第２配線、２０２Ｂは判定電位供給配線、２０２Ｃは位置ずれ検知配線、３はプリント回路板、３０１は絶縁基板、３０２Ａは第３配線、３０２Ｂは判定電位供給配線、３０２Ｃは位置ずれ検知配線、４は半導体チップ、５は接続導体、６はACF、Ｐ１は判定電位入力パッド、Ｐ２は判定パッドである。
【００７５】
本実施例１の表示装置は、たとえば、図１に示すように、表示パネル１と、フィルム状基板２と、プリント回路板３とを備える。
【００７６】
前記表示パネル１は、たとえば、液晶表示パネルであり、図２に示すように、ガラス基板などの透明基板である第１の基板１０１および第２の基板１０２、ならびにシール材によって囲まれた空間に液晶材料１０４が封入されている。また、前記表示パネル１は、たとえば、図２および図３に示すように、前記第１の基板１０１の表面に第１配線１０１Ａおよび判定端子１０１Ｂが設けられている。前記第１配線１０１Ａは、たとえば、前記液晶材料１０４に電圧を印加するTFTなどの素子を形成する配線などの、前記表示パネル１で画像を表示する際に必要とされる配線であり、前記判定端子１０１Ｂは位置ずれ検査用に設けられた端子（配線）であるとする。
【００７７】
なお、前記表示パネル１として前記液晶表示パネルが用いられている場合、前記表示パネル１の構成のうち、前記判定端子１０１Ｂを除く他の構成は、従来の一般的な液晶表示パネルの構成と同様でよい。そのため、前記従来の一般的な液晶表示パネルと同様の構成でよい部分については、詳細な説明は省略する。また、前記判定端子１０１Ｂの構成などについては後述する。
【００７８】
前記フィルム状基板２は、たとえば、図２および図３に示すように、フィルム状の絶縁基板２０１の表面に第２配線２０２Ａ、判定電位供給配線２０２Ｂ、位置ずれ検知配線２０２Ｃが設けられている。前記フィルム状基板２は、液晶駆動用のドライバICなどが実装されたTCP(Tape Carrier Package)あるいはCOF(Chip On Film)と呼ばれる半導体装置（パッケージ）で用いられる配線基板（インターポーザ）である。このとき、前記第２配線２０２Ａは、図２に示したように、半導体チップ４の外部電極（図示しない）と接続導体５により電気的に接続されている。また、前記第２配線２０２Ａは、図２乃至図５に示すように、前記表示パネル１の第１配線１０１Ａと電気的に接続される。前記第２配線２０２Ａと前記第１配線１０１Ａは、たとえば、図２および図５に示したように、ACF（Anisotropic Conductive Film；異方性導電性フィルム）６を用いた非接触導通により電気的に接続される。また、前記第２配線２０２Ａと前記第１配線１０１Ａは、前記ACF６を用いる代わりに、金やはんだなどの接合材を用いて接合させて電気的に接続してもよい。
【００７９】
また、前記フィルム状基板２に設けられた前記判定電位供給配線２０２Ｂおよび前記位置ずれ検知配線２０２Ｃは、前記表示パネル１に設けられた前記判定端子１０１Ｂを利用して、前記第１配線１０１Ａと前記第２配線２０２Ａを電気的に接続したときの位置ずれを検査するために用いる配線である。なお、本実施例１では、前記判定電位供給配線２０２Ｂおよび前記位置ずれ検知配線２０２Ｃは、図３に示したように、前記半導体チップ４の外部電極と電気的に接続されていない配線であり、前記位置ずれの検査のために設けた配線であるとする。また、前記判定電位供給配線２０２Ｂは、前記第２配線２０２Ａと前記第１配線１０１Ａと同じ方法で電気的に接続されており、たとえば、図４および図５に示すように、前記ACF６を用いた非接触導通により電気的に接続されている。
【００８０】
また、前記位置ずれ検知配線２０２Ｃは、図４乃至図６に示したように、前記表示パネル１の第１配線１０１Ａおよび判定端子１０１Ｂとは電気的に接続されないようにする。このとき、前記判定端子１０１Ｂは、たとえば、図４に示すように、前記位置ずれ検知配線２０２Ｃの延長方向（＋ｙ方向）を通り、前記位置ずれ検知配線２０２Ｃの端部を平面的に囲むような形状の判定部を有するとする。
【００８１】
また、前記プリント回路板３は、たとえば、図２および図３に示すように、絶縁基板３０１の表面に第３配線３０２Ａ、判定電位入力パッドＰ１と電気的に接続している配線３０２Ｂ、判定パッドＰ２と電気的に接続している位置ずれ検知配線３０２Ｃが設けられている。前記第３配線３０２Ａは、前記フィルム状基板２の第２配線２０２Ａと電気的に接続される配線であり、前記表示パネル１に画像を表示させる際に必要な配線であるとする。また、前記判定電位入力パッドＰ１と電気的に接続している判定電位供給配線３０２Ｂは、前記フィルム状基板２の判定電位供給配線２０２Ｂと電気的に接続される配線であるとする。また、前記判定パッドＰ２と電気的に接続している位置ずれ検知配線３０２Ｃは、前記フィルム状基板２の位置ずれ検知配線２０２Ｃと電気的に接続している配線であるとする。前記プリント回路板３に設けられた各配線３０２Ａ，３０２Ｂ，３０２Ｃと、前記フィルム状基板２に設けられた各配線２０２Ａ，２０２Ｂ，２０２Ｃとは、たとえば、図２に示すように、前記ACF６を用いた非接触導通により電気的に接続されている。また、前記プリント回路板３の各配線３０２Ａ，３０２Ｂ，３０２Ｃと、前記フィルム状基板２の各配線２０２Ａ，２０２Ｂ，２０２Ｃとは第２配線２０２Ａは、前記ACF６を用いる代わりに、金やはんだなどの接合材を用いて接合させて電気的に接続してもよい。
【００８２】
また、前記プリント回路板３は、前記絶縁基板３０１の表面および内部に２層以上の配線層があり、前記第３配線３０２Ａ、判定電位入力パッドＰ１と電気的に接続している判定電位供給配線３０２Ｂ、判定パッドＰ２と電気的に接続している位置ずれ検知配線３０２Ｃは、必要に応じて、前記絶縁基板３０１の内部配線層を経由し、前記絶縁基板３０１の表面のあらかじめ定められた位置に引き出されているとする。
【００８３】
図７乃至図１０は、本実施例１の表示装置における位置ずれの検査方法を説明するための模式図であり、図７は配線の配線幅方向への位置ずれが生じた場合を示す平面図、図８は図７のＤ−Ｄ’線断面図、図９は配線の延在方向への位置ずれが生じた場合を示す平面図、図１０は図９のＥ−Ｅ’線断面図である。
【００８４】
本実施例１の表示装置では、前記表示パネル１の第１配線１０１Ａと前記フィルム状基板２の第２配線２０２Ａの接続部は、たとえば、図４に示したようになっており、前記第１配線１０１Ａと前記第２配線２０２Ａが正しく接続されている。このとき、前記表示パネル１の判定端子１０１Ｂは、前記フィルム状基板２の判定電位供給配線２０２Ｂとは電気的に接続されているが、前記位置ずれ検知配線２０２Ｃとは電気的に絶縁された状態になっている。そのため、たとえば、図４に示したように、前記判定電位供給配線２０２Ｂと前記位置ずれ検知配線２０２Ｃの間の導通を検査すると導通はない。その結果、位置ずれが生じていない、または許容範囲内と判定される。
【００８５】
なお、本実施例１の表示装置において、前記判定電位供給配線２０２Ｂと前記位置ずれ検知配線２０２Ｃの導通を検査するときには、たとえば、図３に示したように前記プリント回路板３に設けた判定電位入力パッドＰ１と前記判定パッドＰ２に検査用のプローブを接触させて判定電位を入力して行う。このとき、前記判定電位入力パッドＰ１を複数のフィルム状基板２毎に設けておき、順番に判定電位を入力していくことで、前記フィルム状基板２毎に導通を検査することができる。
【００８６】
前記第１配線１０１Ａと前記第２配線２０２Ａを接続するときには、たとえば、光学観察などにより、前記第１配線１０１Ａと前記第２配線２０２Ａが図４に示したような正しい位置関係になるように位置合わせを行う。しかしながら、接続する際の熱圧着などで圧力が加わったときに、前記第１配線１０１Ａと前記第２配線２０２Ａの接続部での配線幅方向（以下、単に配線幅方向という）、すなわち図４に示したｘ方向への位置ずれが生じることがある。このとき、前記配線幅方向（ｘ方向）への位置ずれが大きいと、たとえば、図７および図８に示すように、前記フィルム状基板２の位置ずれ検知配線２０２Ｃが前記表示パネル１の判定端子１０１Ｂの判定部と重なる。この状態で前記判定電位供給配線２０２Ｂと前記位置ずれ検知配線２０２Ｃの間の導通を検査すると、前記位置ずれ検知配線２０２Ｃと前記判定端子１０１Ｂの間で導通が生じて導通する。その結果、許容範囲を超えた位置ずれが生じていると判定される。
【００８７】
また、前記第１配線１０１Ａと前記第２配線２０２Ａを接続するときは、たとえば、図７および図８に示した配線の配線幅方向（ｘ方向）の位置ずれに限らず、たとえば、図９および図１０に示すように、前記配線幅方向と直交するｙ方向（以下、延在方向という）への位置ずれが生じることもある。このとき、前記配線の延在方向（ｙ方向）への位置ずれが大きいと、たとえば、図９および図１０に示すように、前記フィルム状基板２の位置ずれ検知配線２０２Ｃが前記表示パネル１の判定端子１０１Ｂの判定部と重なる。この状態で前記判定電位供給配線２０２Ｂと前記位置ずれ検知配線２０２Ｃの間の導通を検査すると、前記位置ずれ検知配線２０２Ｃと前記判定端子１０１Ｂの間で導通が生じて導通する。その結果、許容範囲を超えた位置ずれが生じていると判定される。
【００８８】
また、本実施例１の表示装置において、前記判定電位供給配線２０２Ｂと前記位置ずれ検知配線２０２Ｃの導通を検査するときには、たとえば、図３に示したように前記プリント回路板３に設けた判定電位入力パッドＰ１と前記判定パッドＰ２に検査用のプローブを接触させて判定電位を入力して行う。このとき、前記判定電位入力パッドＰ１を複数のフィルム状基板２毎に設けておき、順番に判定電位を入力していくことで、前記フィルム状基板２毎に導通を検査することができる。
【００８９】
このように、本実施例１の表示装置では、前記表示パネル１の第１配線１０１Ａと前記フィルム状基板２の第２配線２０２Ａを接続した直後に、位置ずれによる接続不良や短絡不良が生じているか否かを容易に検査し、判定することができる。そのため、前記接続不良や短絡不良が生じているときには、その場で取り除き、修正することができる。その結果、前記表示パネル１の表示動作を検査するときには、前記第１配線１０１Ａと前記第２配線２０２Ａが正しく接続されている表示パネル１のみを検査することができ、表示動作の検査の作業性が向上する。
【００９０】
図１１および図１２は、本実施例１の表示装置における表示パネルの判定端子とフィルム状基板の位置ずれ検知配線の関係を説明するための模式図であり、図１１は前記判定端子と前記位置ずれ検知配線の平面的な位置関係を定義する平面図、図１２は配線の接続に用いるACF６の接続特性曲線の一例を示す図である。
【００９１】
本実施例１の表示装置において、前記表示パネル１の第１配線１０１Ａと前記フィルム状基板２の第２配線２０２Ａに、位置ずれによる接続不良や短絡不良が生じているか否かは、前記判定電位供給配線２０２Ｂと前記位置ずれ検知配線２０２Ｃの間の導通の有無によって判定する。そのため、たとえば、図１１に示すように、正しい位置関係で接続された状態での前記位置ずれ検知配線２０２Ｃと前記判定端子１０１Ｂの判定部の平面的な距離Δｘ，Δｙをどのように設定するかで、判定結果の精度が変わってくる。そこで、前記位置ずれ検知配線２０２Ｃと前記判定端子１０１Ｂの判定部の平面的な距離Δｘ，Δｙの設定方法の一例について簡単に説明する。
【００９２】
まず、たとえば、前記第１配線１０１Ａと前記第２配線２０２Ａを接続したときの接続抵抗に関して、たとえば、図１２に示すように、各第１配線１０１Ａと前記第２配線２０２Ａの接続部において要求される接続抵抗値のうち最も小さい値ＲＬと、前記第１配線１０１Ａと前記第２配線２０２Ａの接続に用いる前記ACF６の接続特性から、最小接続面積Ｓminを決定する。そして、前記各配線１０１Ａ，２０２Ａの寸法と前記最小接続面積Ｓmin、ｘ方向およびｙ方向の最小接続長Ｍｘ，Ｍｙを求める。
【００９３】
次に、たとえば、図１２に示すような前記ACF６の接続特性から、前記第１配線１０１Ａと第２配線２０２Ａの最小導体間隙Ｇを求める。
【００９４】
そして、前記位置ずれ検知配線２０２Ｃと前記判定端子１０１Ｂのｘ方向の距離Δｘは、前記ｘ方向の最小接続長Ｍｘと最小導体間隙Ｇのうちの小さい方の値とする。また、前記位置ずれ検知配線２０２Ｃと前記判定端子１０１Ｂのｙ方向の距離Δｙは、前記ｙ方向の最小接続長Ｍｙとする。なお、前記最小接続長Ｍｘ，Ｍｙおよび最小導体間隙Ｇの他に、前記配線の設計上で制約がある場合は、その制約も考慮し、前記最小接続長Ｍｘ，Ｍｙおよび最小導体間隙Ｇの中で最小の値（寸法）を前記位置ずれ検知配線２０２Ｃと前記判定端子１０１Ｂの判定部の平面的な距離Δｘ，Δｙとする。このようにすることで、前記第１配線１０１Ａと前記第２配線２０２Ａで接続不良や短絡不良が生じる条件を、前記判定電位供給配線２０２Ｂと前記位置ずれ検知配線２０２Ｃの間の導通の有無に反映させることができ、精度の高い検査、判定が行える。
【００９５】
図１３は、本実施例１の表示装置の変形例を説明するための模式図であり、表示パネルの判定端子とフィルム状基板の位置ずれ検知配線の形状の変形例を示す図である。
【００９６】
本実施例１の表示装置では、たとえば、図４に示したように、前記表示パネル１に設けた判定端子１０１Ｂの判定部を、前記フィルム状基板２に設けた位置ずれ検知配線２０２Ｃの先端部分を平面的に囲むような形状にすることにより、前記第１配線１０１Ａおよび前記第２配線２０２Ａの接続部の配線幅方向（ｘ方向）の位置ずれだけでなく、前記配線幅方向と直交する配線の延在方向（ｙ方向）の位置ずれも容易に検知することができる。
【００９７】
しかしながら、前記判定端子１０１Ｂの判定部が、図４に示したような形状である場合、前記配線の延在方向の位置ずれは、あらかじめ定められた位置から＋ｙ方向への位置ずれしか検知できない。
【００９８】
そこで、たとえば、図１３に示すように、前記位置ずれ検知配線２０２Ｃの先端部の配線幅を広くし、前記判定端子１０１Ｂの判定部を、前記位置ずれ検知配線２０２Ｃの配線幅が広くなった領域を囲む不連続な環状形状にすることが好ましい。またこのとき、前記環状形状の開いた部分の距離が前記位置ずれ検知配線２０２Ｃの配線幅を広くした領域の配線幅よりも短くなるようにしておく。このようにすると、あらかじめ定められた位置から−ｙ方向への位置ずれも検知できるようになり、位置ずれによる接続不良の検査精度が向上する。また、図１３に示した例では、前記位置ずれ検知配線２０２Ｃの配線幅を広くした領域が矩形状であり、前記判定端子１０１Ｂの判定部も角部を有する環状形状であるが、これに限らず、たとえば、前記位置ずれ検知配線２０２Ｃの配線幅を広くした領域を円形状にし、前記判定端子１０１Ｂの判定部を前記位置ずれ検知配線２０２Ｃの円形状の領域と同心円状の環状形状をしてもよい。
【００９９】
以上説明したように、本実施例１の表示装置によれば、前記表示パネル１の第１配線１０１Ａと前記フィルム状基板２の第２配線２０２Ａを接続した直後に、前記第１配線１０１Ａと前記第２配線２０２Ａの位置ずれの有無を検査し、接続不良や短絡不良が生じているか否かを容易に判定することができる。
【０１００】
また、前記表示パネル１の判定端子１０１Ｂの判定部を、前記フィルム状基板２の位置ずれ検知端子２０２Ｃの先端を囲むような形状にすることで、前記第１配線１０１Ａと前記第２配線２０２Ａの接続部の配線幅方向だけでなく、あらゆる方向への位置ずれの有無を検査することができる。
【０１０１】
また、本実施例１の表示装置では、前記表示パネル１の第１配線１０１Ａと前記フィルム状基板２の第２配線２０２Ａを接続した直後に前記検査、判定ができる。そのため、接続不良や短絡不良が生じていると判定された場合は、その場で修正することができる。その結果、前記表示パネル１の表示動作の検査をするときには、前記接続不良や短絡不良が生じていないものだけを検査でき、前記表示動作の検査の作業性を向上させることができる。
【０１０２】
また、前記フィルム状基板２の判定電位供給配線２０２Ｂおよび位置ずれ検知端子２０２Ｃを前記プリント回路板３の配線と接続しておくことで、前記第１配線１０１Ａと前記第２配線２０２Ａの位置ずれの有無の検査の作業性を向上させることができる。またこのとき、前記フィルム状基板２は複数個あるため、前記プリント回路板３の前記判定電位供給配線２０２Ｂと接続された配線、または前記位置ずれ検知配線２０２Ｃと接続された配線を共通配線とすることで、前記プリント回路板３の配線の引き回しを容易にするとともに、前記フィルム状基板２毎に位置ずれの有無を検査、判定することができる。
【０１０３】
また、本実施例１では、前記表示パネル１の判定端子１０１Ｂを、前記第１配線１０１Ａとは電気的に独立した、位置ずれの検査のための端子としたが、これに限らず、前記第１配線１０１Ａの端部に、前記判定端子１０１Ｂの判定部と同様の形状の判定部を設けてもよい。この場合、前記フィルム状基板２の判定電位供給配線２０２Ｂは、前記判定部を有する第１配線１０１Ａと電気的に接続される第２配線２０２Ａとなる。
【実施例２】
【０１０４】
図１４および図１５は、本発明による実施例２の表示装置の概略構成を示す模式図であり、図１４はフィルム状基板とプリント回路板の接続部の構成例を示す拡大平面図、図１５は図１４のＦ−Ｆ’線断面図である。
図１４および図１５において、Ｐ３は位置ずれ検知端子、３０２Ｄは内部配線である。
【０１０５】
前記実施例１の表示装置は、前記表示パネル１の第１配線１０１Ａと前記フィルム状基板２の第２配線２０２Ａを電気的に接続したときの位置ずれの有無の検査、判定を容易にすることができ、その結果、前記表示パネル１の表示動作を検査するときの作業性を向上させることができる。しかしながら、前記フィルム状基板２の第２配線２０２Ａは、前記実施例１で説明したように、前記プリント回路板３の第３配線３０２Ａとも電気的に接続される。そのため、前記第２配線２０２Ａと前記第３配線３０２Ａを接続するときにも位置ずれにより接続不良や短絡不良が生じる可能性がある。そこで、本実施例２では、前記実施例１で説明した構成を前提とし、前記第２配線２０２Ａと前記第３配線３０２Ａを接続したときの位置ずれの有無を容易に検査することができる表示装置の構成例について説明する。
【０１０６】
なお、本実施例２の表示装置における、前記表示パネル１および前記フィルム状基板２、ならびに前記プリント回路板３の基本的な構成は、前記実施例１の表示装置と同じでよいため、詳細な説明は省略する。
【０１０７】
本実施例２の表示装置では、図１４および図１５に示すように、前記フィルム状基板２に設けられた前記判定電位供給配線２０２Ｂが、前記プリント回路板３に設けられた判定電位供給配線３０２Ｂと電気的に接続されている。このとき、前記フィルム状基板２の判定電位供給配線２０２Ｂは、前記プリント回路板３の判定電位供給配線３０２Ｂとの接続部に、環状の判定部を有する。またこのとき、前記プリント回路板３の表面であり、かつ、前記環状の判定部の内部領域には、前記フィルム状基板２の判定電位供給配線２０２Ｂと電気的に絶縁された位置ずれ検知端子Ｐ３が設けられている。前記位置ずれ検知端子Ｐ３は、たとえば、図１５に示すように、内部配線３０２Ｄを経由して、前記プリント回路板３に設けられた、前記判定パッドＰ２と電気的に接続されている。
【０１０８】
また、前記フィルム状基板２の各配線２０２Ａ，２０２Ｂ，２０２Ｃと、前記プリント回路板３の各配線３０２Ａ，３０２Ｂ，３０２Ｃとはそれぞれ、たとえば、ACF６を用いた非接触導通により電気的に接続されているとする。なお、前記前記フィルム状基板２の各配線２０２Ａ，２０２Ｂ，２０２Ｃと、前記プリント回路板３の各配線３０２Ａ，３０２Ｂ，３０２Ｃとは、前記ACF６を用いた接続に限らず、たとえば、金やはんだなどの接合材によって接合されていてもよい。
【０１０９】
このように、前記フィルム状基板２の判定電位供給配線２０２Ｂに環状の判定部を設け、前記プリント回路板３に位置ずれ検知端子Ｐ３を設けておくと、たとえば、前記フィルム状基板２の各配線２０２Ａ，２０２Ｂ，２０２Ｃと、前記プリント回路板３の各配線３０２Ａ，３０２Ｂ，３０２Ｃとを電気的に接続した後、前記プリント回路板３の判定電位供給配線３０２Ｂと前記位置ずれ検知配線３０２Ｃ（位置ずれ検査端子Ｐ３）の導通を検査することで、前記第２配線２０２Ａと前記第３配線３０２Ａの位置ずれの有無を検査、判定することができる。
【０１１０】
またこのとき、前記プリント回路板３の位置ずれ検知端子Ｐ３と前記フィルム状基板２の判定電位供給配線２０２Ｂの判定部との平面的な距離を、前記実施例１で説明したような方法で設定しておけば、前記第２配線２０２Ａと前記第３配線３０２Ａで接続不良や短絡不良が生じる条件を、前記プリント回路板３の判定電位供給配線３０２Ｂと前記位置ずれ検知配線３０２Ｃ（位置ずれ検査端子Ｐ３）の導通の有無に反映させることができ、精度の高い検査、判定が行える。
【０１１１】
また、前記実施例１で説明したように、通常、前記フィルム状基板２は複数個ある。そのため、たとえば、図３に示したように、前記プリント回路板３の位置ずれ検知配線３０２Ｃを共通配線としておけば、前記プリント回路板３の配線の引き回しが容易になるとともに、前記フィルム状基板２毎の位置ずれの検査、判定を容易に行うことができる。
【０１１２】
また、前記表示装置を組み立てるときには、前記フィルム状基板２の第２配線２０２Ａと前記プリント回路板３の第３配線３０２Ａを電気的に接続した後、前記フィルム状基板２の第２配線２０２Ａと前記表示パネル１の第１配線１０１Ａを電気的に接続する。そのため、本実施例２のように、前記フィルム状基板２の判定電位供給配線２０２Ｂに環状の判定部を設けておき、前記フィルム状基板２の判定電位供給配線２０２Ｂと前記プリント回路板３の判定電位供給配線３０２Ｂとを電気的に接続し、前記フィルム状基板２の位置ずれ検知配線２０２Ｃと前記プリント回路板３の位置ずれ検知配線３０２Ｃとを電気的に接続すれば、前記プリント回路板３に設けられた１組の判定電位供給配線３０２Ｂおよび位置ずれ検知配線３０２Ｃで、前記第２配線２０２Ａと前記第３配線３０２Ａの位置ずれの検査、判定、および前記第２配線２０２Ａと前記第３配線３０２Ａの位置ずれの検査、判定を行うことができる。
【０１１３】
以上説明したように、本実施例２の表示装置によれば、前記プリント回路板３の第３配線３０２Ａと前記フィルム状基板２の第２配線２０２Ａを接続した直後に、前記第３配線３０２Ａと前記第２配線２０２Ａの位置ずれの有無を検査し、接続不良や短絡不良が生じているか否かを容易に判定することができる。
【０１１４】
また、前記フィルム状基板２の判定電位供給配線２０２Ｂに、前記プリント回路板３の位置ずれ検知端子Ｐ３を囲むような環状形状の判定部を設けることで、前記第３配線３０２Ａと前記第２配線２０２Ａの接続部の配線幅方向だけでなく、あらゆる方向への位置ずれの有無を検査することができる。
【０１１５】
また、本実施例２の表示装置では、前記プリント回路板３の第３配線３０２Ａと前記フィルム状基板２の第２配線２０２Ａを接続した直後に前記検査、判定ができるとともに、前記表示パネル１の第１配線１０１Ａと前記フィルム状基板２の第２配線２０２Ａを接続した直後に前記検査、判定ができる。そのため、それぞれの接続工程で接続不良や短絡不良が生じていると判定された場合は、その場で修正することができる。その結果、前記表示パネル１の表示動作の検査をするときには、前記接続不良や短絡不良が生じていないものだけを検査でき、前記表示動作の検査の作業性を向上させることができる。
【０１１６】
また、前記プリント回路板３の判定電位供給配線３０２Ｂ、または位置ずれ検知配線３０２Ｃを共通配線とすることで、前記プリント回路板３の配線の引き回しを容易にするとともに、前記フィルム状基板２毎に位置ずれの有無を検査、判定することができる。
【０１１７】
また、本実施例２では、前記フィルム状基板２の判定電位供給配線２０２Ｂに環状の判定部を設けたが、これに限らず、前記フィルム状基板２に、前記判定電位供給配線２０２Ｂとは電気的に独立しており、かつ、前記プリント回路板３と電気的に接続される環状の判定端子を設けてもよい。
【０１１８】
また、本実施例２では、前記プリント回路板３に設けた１組の判定電位供給配線３０２Ｂおよび位置ずれ検知配線３０２Ｃを、前記第３配線３０２Ａと第２配線２０２Ａの位置ずれの検査、および前記第１配線１０１Ａと前記第２配線２０２Ａの位置ずれの検査を行う場合の構成例について説明したが、これに限らず、前記プリント回路板３に、前記第３配線３０２Ａと第２配線２０２Ａの位置ずれの検査を行うための判定電位供給配線および位置ずれ検知端子と、前記第１配線１０１Ａと前記第２配線２０２Ａの位置ずれの検査を行うための判定電位供給配線および位置ずれ検知配線を個別に設けてもよい。
【０１１９】
また、本実施例２では、前記実施例１で説明した構成を前提とした表示装置を例に挙げたが、これに限らず、たとえば、本実施例２で説明したような、前記第２配線２０２Ａと前記第３配線３０２Ａの位置ずれの検査、判定のみが行えるような構成の表示装置であってもよい。
【実施例３】
【０１２０】
図１６は、本発明による実施例３の表示装置の概略構成を示す模式図であり、フィルム状基板に設けられた判定電位供給配線の、前記プリント回路板の配線との接続部の構成例を示す模式図である。
【０１２１】
前記実施例２では、前記フィルム状基板２に設けられた第２配線２０２Ａと前記プリント回路板３の第３配線３０２Ａを電気的に接続したときの、前記第２配線２０２Ａと前記第３配線３０２Ａの位置ずれの有無の検査、判定を容易にする表示装置の構成例について説明した。しかしながら、前記実施例２で説明したような方法で位置ずれの有無を検査、判定する場合、前記プリント回路板３に前記位置ずれ検知端子Ｐ３を設ける必要がある。また、前記第２配線２０２Ａと前記第３配線３０２Ａの接続部は、一般に、前記実施例１で説明した前記第１配線１０１Ａと前記第２配線２０２Ａの接続部に比べて配線幅が広く、位置ずれに対する許容範囲が広い。そのため、位置ずれによる接続不良や短絡不良は比較的起こりにくい。
【０１２２】
そこで、本実施例３では、前記実施例２のような導通検査を行う代わりに、前記第２配線２０２Ａと前記第３配線３０２Ａの位置関係を光学観察することで、位置ずれの有無を簡易的に検査、判定する方法について説明する。
【０１２３】
なお、本実施例３では、前記実施例１および実施例２で説明した構成を前提とし、前記第２配線２０２Ａと前記第３配線３０２Ａを接続したときの位置ずれの有無を簡易的に検査、判定することができる表示装置の構成例について説明する。
【０１２４】
なお、本実施例３の表示装置における、前記表示パネル１および前記フィルム状基板２、ならびに前記プリント回路板３の基本的な構成は、前記実施例１および実施例２の表示装置と同じでよいため、詳細な説明は省略する。ただし、本実施例３では、配線の接続部を観察して位置ずれの検査、判定をするため、前記プリント回路板３の第３配線３０２Ａと前記フィルム状基板２の第２配線２０２Ａは、たとえば、金やはんだなどの接合材を用いて電気的に接続することが好ましい。
【０１２５】
本実施例３の表示装置では、図１６に示すように、前記フィルム状基板２に設ける判定電位供給配線２０２Ｂに階段状の切り欠きＳＬを設ける。このとき、前記切り欠きＳＬは、図１６に示すように、前記判定電位供給配線２０２Ｂの延在方向（ｙ方向）に沿った対向する２つの辺に１つずつ設ける。またこのとき、前記切り欠きＳＬのｘ方向およびｙ方向へのステップ（段差）は、あらかじめ定められた値であればよい。また、前記階段状の切り欠きＳＬの段数は、前記ステップの値に基づき、対向する端部まで到達しない段数にする。また、前記２つの切り欠きＳＬは、基板平面内で点対称になるように設ける。
【０１２６】
また、前記フィルム状基板２の判定電位供給配線２０２Ｂには、たとえば、図１６に示すような前記環状の判定部が設けられていてもよい。
【０１２７】
図１７および図１８は、本実施例３の表示装置における位置ずれの検査、判定方法を説明するための模式図であり、図１７は正しく接続された第２配線と第３配線の平面的な位置関係を示す平面図、図１８は位置ずれが生じている場合の第２配線と第３配線の平面的な位置関係を示す平面図である。
【０１２８】
本実施例３の表示装置を組み立てるときには、前記実施例１および実施例２の表示装置と同様に、たとえば、まず、前記プリント回路板３の第３配線３０２Ａと前記フィルム状基板２の第２配線２０２Ａを電気的に接続する。このとき、前記第３配線３０２Ａと前記第２配線２０２Ａが正しく接続されれば、たとえば、図１７に示すように、前記プリント回路板３の判定電位供給配線３０２Ｂの延在方向（ｙ方向）に沿った端面と、前記フィルム状基板２の判定電位供給配線２０２Ｂの延在方向（ｙ方向）に沿った端面とが平面的に重なる。
【０１２９】
しかしながら、前記第２配線２０２Ａと前記第３配線３０２Ａを電気的に接続するときには荷重するため、たとえば、配線幅方向（ｘ方向）への位置ずれが生じることがある。このとき、前記フィルム状基板２の判定電位供給配線２０２Ｂと前記プリント回路板３の判定電位供給配線３０２Ｂの接続部は、たとえば、図１８に示すようになる。そこで、光学観察などで前記フィルム状基板２の判定電位供給配線２０２Ｂと前記プリント回路板３の判定電位供給配線３０２Ｂの接続部に位置ずれが生じていた場合、前記プリント回路板３の第３配線３０２Ａの延在方向（ｙ方向）に沿った端面が、前記フィルム状基板２の判定電位供給配線２０２Ｂに設けた前記階段状の切り欠きＳＬのどの部分を通っているか調べる。このとき、前記階段状の切り欠きＳＬのステップ（段差）が既知であれば、前記プリント回路板３の第３配線３０２Ａの延在方向（ｙ方向）に沿った端面が通る位置に基づき、どの方向にどれだけずれているかを簡易的に検査することができる。
【０１３０】
また、このような方法で位置ずれを簡易的に検査、判定する場合、前記実施例２のように、判定電位を入力する導通検査を行わなくてもよいので、位置ずれの検査の作業性が向上する。
【０１３１】
また、本実施例３のような構成の場合、前記フィルム状基板２の第２配線２０２Ａと前記プリント回路板３の第３配線３０２Ａが接合材で電気的に接続されていれば、前述のように簡易的な検査、判定をできる。しかしながら、たとえば、前記実施例１や実施例２で説明したように、前記ACF６で電気的に接続されている場合は、前述のような簡易的な検査、判定はできない。そのため、前記第２配線２０２Ａと前記第３配線３０２Ａを前記ACF６で電気的に接続する場合は、前記実施例２で説明したような検査を行うことが好ましい。
【０１３２】
以上説明したように、本実施例３の表示装置によれば、前記フィルム状基板２の判定電位供給配線２０２Ｂの、前記プリント回路板３の判定電位供給配線３０２Ｂとの接続部に階段状の切り欠きＳＬを設けておくことで、前記第２配線２０２Ａと前記第３配線３０２Ａを接続したときの位置ずれの有無を簡易的に検査、判定することができる。
【０１３３】
また、本実施例３では、前記実施例１および実施例２で説明した構成を前提とする表示装置を例に挙げたが、これに限らず、たとえば、本実施例３で説明したような、前記第２配線２０２Ａと前記第３配線３０２Ａの位置ずれを簡易的に検査、判定するのみの構成の表示装置であってもよい。
【０１３４】
以上、本発明を、前記実施例に基づき具体的に説明したが、本発明は、前記実施例に限定されるものではなく、その要旨を逸脱しない範囲において、種々変更可能であることはもちろんである。
【０１３５】
たとえば、前記実施例１から実施例３では、前記表示パネル１として液晶表示パネルを例に挙げたが、前記液晶表示パネルに限らず、基板上に画像表示用の配線が設けられた表示パネルであれば、前記実施例１から実施例３のような構成にすることで同様の効果が得られる。
【図面の簡単な説明】
【０１３６】
【図１】本発明による実施例１の表示装置の概略構成を示す模式図であり、液晶表示パネルおよびフィルム状基板、ならびにプリント回路板が接続された状態を示す平面図である。
【図２】本発明による実施例１の表示装置の概略構成を示す模式図であり、図１のＡ−Ａ’線断面図である。
【図３】本発明による実施例１の表示装置の概略構成を示す模式図であり、液晶表示パネルおよびフィルム状基板、ならびにプリント回路板の接続方法を説明する分解図である。
【図４】本発明による実施例１の表示装置の概略構成を示す模式図であり、液晶表示パネルとフィルム状基板の接続部の拡大平面図である。
【図５】本発明による実施例１の表示装置の概略構成を示す模式図であり、図４のＢ−Ｂ’線断面図である。
【図６】本発明による実施例１の表示装置の概略構成を示す模式図であり、図４のＣ−Ｃ’線断面図である。
【図７】本実施例１の表示装置における位置ずれの検査方法を説明するための模式図であり、配線の配線幅方向への位置ずれが生じた場合を示す平面図である。
【図８】本実施例１の表示装置における位置ずれの検査方法を説明するための模式図であり、図７のＤ−Ｄ’線断面図である。
【図９】本実施例１の表示装置における位置ずれの検査方法を説明するための模式図であり、配線の延在方向への位置ずれが生じた場合を示す平面図である。
【図１０】本実施例１の表示装置における位置ずれの検査方法を説明するための模式図であり、図９のＥ−Ｅ’線断面図である。
【図１１】本実施例１の表示装置における表示パネルの判定端子とフィルム状基板の位置ずれ検知配線の関係を説明するための模式図であり、前記判定端子と前記位置ずれ検知配線の平面的な位置関係を定義する平面図である。
【図１２】本実施例１の表示装置における表示パネルの判定端子とフィルム状基板の位置ずれ検知配線の関係を説明するための模式図であり、配線の接続に用いるACFの接続特性曲線の一例を示す図である。
【図１３】本実施例１の表示装置の変形例を説明するための模式図であり、表示パネルの判定端子とフィルム状基板の位置ずれ検知配線の形状の変形例を示す図である。
【図１４】本発明による実施例２の表示装置の概略構成を示す模式図であり、フィルム状基板とプリント回路板の接続部の構成例を示す拡大平面図である。
【図１５】本発明による実施例２の表示装置の概略構成を示す模式図であり、図１４のＦ−Ｆ’線断面図である。
【図１６】本発明による実施例３の表示装置の概略構成を示す模式図であり、フィルム状基板に設けられた判定電位供給配線の、前記プリント回路板の配線との接続部の構成例を示す模式図である。
【図１７】本実施例３の表示装置における位置ずれの検査、判定方法を説明するための模式図であり、正しく接続された第２配線と第３配線の平面的な位置関係を示す平面図である。
【図１８】本実施例３の表示装置における位置ずれの検査、判定方法を説明するための模式図であり、位置ずれが生じている場合の第２配線と第３配線の平面的な位置関係を示す平面図である。
【符号の説明】
【０１３７】
１…表示パネル（液晶表示パネル）
１０１…第１の基板
１０１Ａ…第１配線
１０１Ｂ…判定端子
１０２…第２の基板
１０３…シール材
１０４…液晶材料
２…フィルム状基板
２０１…絶縁基板
２０２Ａ…第２配線
２０２Ｂ…判定電位供給配線
２０２Ｃ…位置ずれ検知配線
３…プリント回路板
３０１…絶縁基板
３０２Ａ…第３配線
３０２Ｂ…判定電位供給配線
３０２Ｃ…位置ずれ検知配線
３０２Ｄ…内部配線
４…半導体チップ
５…接続導体
６…ACF
Ｐ１…判定電位入力パッド
Ｐ２…判定パッド
Ｐ３…位置ずれ検知端子
ＳＬ…切り欠き
【図１】
2006350064.tif 000003
【図２】
2006350064.tif 000004
【図３】
2006350064.tif 000005
【図４】
2006350064.tif 000006
【図５】
2006350064.tif 000007
【図６】
2006350064.tif 000008
【図７】
2006350064.tif 000009
【図８】
2006350064.tif 000010
【図９】
2006350064.tif 000011
【図１０】
2006350064.tif 000012
【図１１】
2006350064.tif 000013
【図１２】
2006350064.tif 000014
【図１３】
2006350064.tif 000015
【図１４】
2006350064.tif 000016
【図１５】
2006350064.tif 000017
【図１６】
2006350064.tif 000018
【図１７】
2006350064.tif 000019
【図１８】
2006350064.tif 000020